(57)【特許請求の範囲】
【請求項１】
プラスチックを成形している義歯床(4)と、この義歯床(4)に付け根部を埋設している人工歯(2)とを備え、人工歯(2)が、義歯床(4)のプラスチックが流入される貫通孔(3)を付け根部に設けて、この貫通孔(3)の両端開口部を、義歯床(4)に埋設している有床義歯において、
前記人工歯(2)に設けている貫通孔(3)が、隣の歯との対向面に両端を開口すると共に、この貫通孔(3)に人工歯(2)の内部で連結するエアーベント孔(5)を設けており、
エアーベント孔(5)の開口部は、人工歯(2)の舌側面であって義歯床(4)から露出する舌側面に位置し、
さらに、
前記人工歯(2)は、貫通孔(3)の基底側に内幅（ｄ）が３ｍｍより小さいスリット(6)、または内径が３ｍｍよりも小さい縦孔(7)を設けており、このスリット(6)または縦孔(7)は、一端を貫通孔(3)に連結して、他端を人工歯の基底側に開口して義歯床(4)に埋設しており、このスリット(6)または縦孔(7)に義歯床(4)のプラスチックが注入され、かつ
前記スリット(6)が、開口部の内幅（ｄ）を貫通孔(3)の内径（ｒ）よりも狭くしており、
前記貫通孔(3)とエアーベント孔(5)に義歯床(4)のプラスチックが流入して、人工歯(2)の付け根部を義歯床(4)に埋設してなる有床義歯。
【請求項２】
エアーベント孔(5)が貫通孔(3)に対して直交するように開口している請求項１に記載される有床義歯。
【請求項３】
貫通孔(3)とエアーベント孔(5)が、内径の等しい円柱状である請求項１に記載される有床義歯。
【請求項４】
プラスチック製の義歯床(4)に付け根部を埋設して固定され、かつ義歯床(4)のプラスチックが流入される貫通孔(3)を付け根部に設けて、貫通孔(3)に義歯床(4)のプラスチックを流入して義歯床(4)に埋設して固定するようにしてなる人工歯(2)において、
付け根部に設けている貫通孔(3)が、隣の歯との対向面に両端を開口すると共に、この貫通孔(3)に人工歯(2)の内部で連結するエアーベント孔(5)を設けており、
エアーベント孔(5)の開口部は、人工歯(2)の舌側面であって義歯床(4)から露出する舌側面に位置し、
さらに、前記貫通孔(3)の基底側に内幅（ｄ）が３ｍｍより小さいスリット(6)、または内径が３ｍｍよりも小さい縦孔(7)を設けており、このスリット(6)または縦孔(7)は、一端を貫通孔(3)に連結して、他端を基底側に開口しており、このスリット(6)または縦孔(7)に義歯床(4)のプラスチックが注入され、かつ
前記スリット(6)が、開口部の内幅（ｄ）を貫通孔(3)の内径（ｒ）よりも狭くしており、
前記貫通孔(3)とエアーベント孔(5)とに義歯床(4)のプラスチックを流入して、付け根部を義歯床(4)に埋設するようにしてなる人工歯。
【請求項５】
エアーベント孔(5)が貫通孔(3)に対して直交するように開口している請求項４に記載される人工歯。
【請求項６】
貫通孔(3)とエアーベント孔(5)が、内径の等しい円柱状である請求項４に記載される人工歯。
【発明の詳細な説明】
【技術分野】
【０００１】
本発明は、人工歯の付け根部をプラスチック製の義歯床に埋設して固定している有床義歯と、この有床義歯に使用される人工歯に関する。
【背景技術】
【０００２】
有床義歯は、人工歯の付け根部をプラスチック製の義歯床に埋設して固定している。この有床義歯は、義歯床をアクリル樹脂ポリマーと液状のアクリル樹脂モノマー及び架橋剤等を混合してなる熱硬化性のアクリル樹脂や熱可塑性のポリカーボネート樹脂、ポリアミド樹脂、アクリル樹脂、あるいはポリエステル樹脂等で成形する。義歯床を成形するときに、人工歯の付け根部が埋設して固定される。人工歯は、プラスチックやセラミック等で製作される。この有床義歯は、石膏型に付け根部を埋設する人工歯を仮止めし、この状態でペースト状のプラスチックを充填し、プラスチックを熱硬化あるいは熱可塑性樹脂においては冷却硬化させて製作される。この状態で製作された有床義歯は、プラスチックで成形される義歯床に、人工歯の付け根部が埋設して固定される。
【０００３】
この構造の有床義歯は、使用する状態で人工歯が義歯床から抜けることがある。人工歯は、プラスチックやセラミック、金属等で製作できるが、加工適性やコスト、外観等の点からプラスチック製のものが大半を占め、さらに、人工歯の全体あるいは少なくとも義歯床に埋設される基底部がアクリル樹脂を基材として製作されることが多い。一方、義歯床に用いられるプラスチックは、各種熱可塑性樹脂も用いられ、加熱溶融した状態で充填し冷却硬化するだけでは、人工歯との化学的な結合力はほとんど期待できない。とくに、義歯床のプラスチック材料の種類が、人工歯と異なる場合は顕著である。この弊害を防止するために、付け根部に貫通孔を設て、この貫通孔を義歯床に埋設する人工歯が開発されている。（特許文献１参照）
【０００４】
特許文献１に記載される有床義歯を図１に示す。この図の有床義歯１１は、人工歯１２に設けた貫通孔１３に義歯床１４のプラスチックを流入して硬化させる。この人工歯１２は、貫通孔１３に流入して硬化されるプラスチックを義歯床１４に連結して、義歯床１４からの抜けを防止する。ただ、この構造の人工歯１２は、現実の製造工程において、貫通孔１３に義歯床１４のプラスチックをスムーズに流入するのが極めて難しい。それは、貫通孔１３の両端開口部からプラスチックが流入され、内部の空気Ａをスムーズに排気できないからである。貫通孔１３は空気を排気できないかぎり、全体にプラスチックを充填できない。貫通孔１３の空気がプラスチックの流入を阻止するからである。貫通孔１３に空気が溜まると、成形室に加圧状態でプラスチックを充填しても、貫通孔１３の全体にはプラスチックを充填できない。空気が圧縮されて、プラスチックの流入を阻止するからである。貫通孔１３にプラスチックが充填されない人工歯１２は、しっかりと義歯床１４に連結できない。それは、貫通孔１３に流入されるプラスチックが、貫通孔１３の内部で切断されるからである。この状態で義歯床１４に埋設される人工歯１２は、貫通孔１３の途中まで流入されたプラスチックは変形しやすく、またこれが変形すると、人工歯１２が義歯床１４から抜けてしまう。このため、貫通孔１３を設けるにもかかわらず、人工歯１２をしっかりと抜けないように義歯床１４に埋設して固定できない欠点がある。
【０００５】
本発明者は、この欠点を解決することを目的として、図２に示す有床義歯を開発した、この有床義歯２１は、プラスチックを成形している義歯床２４に人工歯２２の付け根部を埋設している。人工歯２２は、義歯床２４のプラスチックを流入される貫通孔２３ａを付け根部に設けて、この貫通孔２３ａの両端開口部を、義歯床２４に埋設している。さらに、この有床義歯２１は、人工歯２２に設けている貫通孔２３ａの両端を、隣の歯との対向面に開口すると共に、この貫通孔２３ａに人工歯２２の内部で連結する縦孔２３ｂを設けている。縦孔２３ｂは、一端を貫通孔２３ａに連結して、他端を人工歯２２の基底側に開口している。さらに、縦孔２３ｂの開口部は、貫通孔２３ａの開口部よりも人工歯２２の基底部側の先端側に位置させている。この縦孔２３ｂと貫通孔２３ａに、義歯床２４を成形するプラスチックを流入して、人工歯２２の付け根部を義歯床２４に埋設してしっかりと固定している。
【０００６】
以上の有床義歯２１は、人工歯２２に設けている貫通孔２３ａが、隣の歯との対向面に両端を開口することに加えて、この貫通孔２３ａに連結するように人工歯２２に縦孔２３ｂを設け、さらに縦孔２３ｂの一端を貫通孔２３ａに連結して他端を人工歯２２の基底側に開口し、また、縦孔２３ｂの開口部を貫通孔２３ａの開口部よりも、人工歯２２の基底部側の先端側に位置させて、縦孔２３ｂと貫通孔２３ａに義歯床２４のプラスチックを流入する。とくに、この有床義歯２１は、貫通孔２３ａに連結している縦孔２３ｂの開口部を貫通孔２３ａよりも人工歯２２の基底部側の先端側に開口している。この人工歯２２は、基底部側の先端側に開口している縦孔２３ｂに、義歯床２４を充填するペースト状のプラスチックを貫通孔２３ａよりも先に充填するように設計している。貫通孔２３ａよりも縦孔２３ｂに先にプラスチックを充填して、縦孔２３ｂにプラスチックを充填するときには、貫通孔２３ａの開口部からはプラスチックが充填されないように設計している。この状態でプラスチックを充填して、縦孔２３ｂから充填されるプラスチックで貫通孔２３ａの開口部から空気を排気し、プラスチックを縦孔２３ｂから貫通孔２３ａに充填するようにしている。この状態でプラスチックを充填できると、縦孔２３ｂと貫通孔２３ａに、スムーズに空気を排気しながら義歯床２４のプラスチックを充填できる。義歯床２４のプラスチックを縦孔２３ｂと貫通孔２３ａに隙間なく充填できると、プラスチックを介して人工歯２２を義歯床２４にしっかりと連結して、使用中における人工歯２２の脱落を確実に阻止できる。
【先行技術文献】
【特許文献】
【０００７】
【特許文献１】特開２００２−２３８９２５号公報
【特許文献２】特開２００８−２３１０４号公報
【発明の概要】
【発明が解決しようとする課題】
【０００８】
図２に示す有床義歯２１は、縦孔２３ａと貫通孔２３ｂに義歯床２４を成形するプラスチックを完全に充填して、人工歯２２を脱落しないように義歯床２４に固定できる。ただ、このことを実現するには、貫通孔よりも縦孔に先にプラスチックを注入し、縦孔に注入されるプラスチックでもって縦孔と貫通孔の空気を排出しながら充填する必要がある。ただ、人工歯を仮止めしている石膏型に、ペースト状のプラスチックを注入して義歯床を成形する工程で、プラスチックの注入を正確にコントロールすることは難しい。とくに、多数の人工歯を石膏型に仮止めして、プラスチックを注入するとき、全ての人工歯に縦孔から先にプラスチックを注入するのは極めて難しい。ペースト状のプラスチックを注入するときに、いずれかの人工歯に、貫通孔と縦孔の両方からプラスチックが注入されると、縦孔や貫通孔に残存する空気をスムーズに排出できず、この人工歯を脱落しないように義歯床に固定するのが難しくなる。
【０００９】
本発明は、さらに以上の欠点を解消することを目的として開発されたもので、本発明の重要な目的は、義歯床を成形するプラスチックの注入を正確にコントロールすることなく、人工歯をしっかりと抜けないように義歯床に固定できる有床義歯と、この有床義歯に使用する人工歯を提供することにある。
【課題を解決するための手段】
【００１０】
本発明の有床義歯とこれに使用される人工歯は、前述の目的を達成するために以下の構成を備える。
本発明の第１の発明にかかる有床義歯は、プラスチックを成形している義歯床４と、この義歯床４に付け根部を埋設している人工歯２とを備えており、人工歯２が、義歯床４のプラスチックが流入される貫通孔３を付け根部に設けて、この貫通孔３の両端開口部を、義歯床４に埋設している。さらに、この有床義歯１は、人工歯２に設けている貫通孔３が、隣の歯との対向面に両端を開口して、この貫通孔３に人工歯２の内部で連結するエアーベント孔５を設けている。エアーベント孔５の開口部は、人工歯２の舌側面であって義歯床４から露出する舌側面に位置する。
さらに、人工歯２は、貫通孔３の基底側に内幅（ｄ）が３ｍｍより小さいスリット６または内径が３ｍｍより小さい縦孔７を連結して設けており、このスリット６または縦孔７は、一端を貫通孔３に連結して、他端を人工歯の基底側に開口して義歯床４に埋設しており、スリット６は、開口部の内幅（ｄ）を貫通孔３の内径（ｒ）よりも狭くしており、このスリット６または縦孔７に義歯床４のプラスチックを注入し、さらにエアーベント孔５と貫通孔３に、義歯床４を成形するプラスチックを流入して、人工歯２の付け根部を義歯床４に埋設してしっかりと固定している。
【００１１】
本発明の第２の発明にかかる有床義歯は、エアーベント孔５を貫通孔３に対して直交するように開口していることを特徴とする。
【００１２】
本発明の第３の発明にかかる有床義歯は、貫通孔３とエアーベント孔５が、内径の等しい円柱状であることを特徴とする。
【００１３】
本発明の第４の発明にかかる有床義歯に使用される人工歯は、プラスチック製の義歯床４に付け根部を埋設して固定される。さらに、この人工歯２は、義歯床４を成形するプラスチックが流入される貫通孔３を付け根部に設けている。人工歯２は、貫通孔３に義歯床４のプラスチックを流入して義歯床４に埋設して固定される。さらに、この人工歯２は、付け根部に設けている貫通孔３の両端を、隣の歯との対向面に開口して、この貫通孔３に人工歯２の内部で連結するようにエアーベント孔５を設けている。エアーベント孔５の開口部は、人工歯２の舌側面であって義歯床４から露出する舌側面に位置する。貫通孔３の基底側に内幅（ｄ）が３ｍｍより小さいスリット６または内径が３ｍｍより小さい縦孔７を設けており、このスリット６または縦孔７は、一端を貫通孔３に連結して、他端を基底側に開口している。スリット６は、開口部の内幅（ｄ）を貫通孔３の内径（ｒ）よりも狭くしている。人工歯は、スリット６または縦孔７に義歯床４のプラスチックを注入し、さらにエアーベント孔５と貫通孔３に、義歯床４を成形するプラスチックを流入して、付け根部を義歯床４に埋設して固定する構造としている。
【００１４】
本発明の第５の発明にかかる有床義歯に使用される人工歯は、エアーベント孔５が貫通孔３に対して直交するように開口していることを特徴とする。
【００１５】
本発明の第６の発明にかかる有床義歯に使用される人工歯は、貫通孔３とエアーベント孔５が、内径の等しい円柱状であることを特徴とする。
【発明の効果】
【００１６】
本発明は、人工歯をしっかりと抜けないように義歯床に固定できる特徴がある。それは、人工歯に設けている貫通孔が、隣の歯との対向面に両端を開口することに加えて、この貫通孔に連結するように人工歯にエアーベント孔を設け、さらにエアーベント孔の開口部を、人工歯の舌側面であって義歯床から露出する舌側面に位置させて、貫通孔とエアーベント孔に義歯床のプラスチックを流入するからである。舌側面であって義歯床から露出する面に開口されるエアーベント孔は、義歯床を充填するペースト状のプラスチックが貫通孔から充填される。貫通孔にプラスチックが充填されるとき、エアーベント孔にはプラスチックが充填されず、貫通孔の空気をスムーズに排気する。エアーベント孔の開口部は、舌側面であって義歯床から露出する舌側面に位置する。したがって、義歯床をプラスチックで成形する工程で、エアーベント孔の開口部は石膏型で閉塞される。石膏型はプラスチックを透過させないが空気を透過させる。したがって、貫通孔に注入されるプラスチックで排気される空気は、エアーベント孔から石膏型を透過して外部にスムーズに排気される。さらに、義歯床から露出する部分に位置するエアーベント孔の開口部は、石膏型で閉塞されるので、ここから義歯床を成形するプラスチックが注入されることはない。このため、貫通孔にプラスチックを注入する工程で、貫通孔の空気はエアーベント孔から確実に排気される。貫通孔に充填したプラスチックは、貫通孔からエアーベント孔に充填されて、エアーベント孔にプラスチックが充填される。エアーベント孔は、貫通孔に連結する片側からのみプラスチックが注入される。したがって、エアーベント孔にプラスチックを注入する工程では、石膏型で閉塞している開口部から確実に空気を排気することができる。このため、エアーベント孔も空気を残存することなく、隙間なくプラスチックを充填できる。プラスチックが充填されたエアーベント孔の開口部は、人工歯の表面に露出するが、この面は人工歯の舌側面に位置して、外部から見えることはない。
【００１７】
したがって、本発明は、人工歯の貫通孔に連結して、独特の位置に設けているエアーベント孔によって、内部の空気をスムーズに確実に排気しながら、貫通孔とエアーベント孔の両方に義歯床のプラスチックを充填できる特徴がある。貫通孔とエアーベント孔にプラスチックを充填して成形される義歯床は、貫通孔に充填しているプラスチックを介して人工歯をしっかりと連結して、使用中における人工歯の脱落を確実に阻止できる。
【００１８】
また、本発明は、人工歯に設けている貫通孔の開口部を隣の歯との対向面に設け、さらにエアーベント孔の開口部を人工歯の舌側面に開口しているので、貫通孔とエアーベント孔の開口部が目立つことがなく、従来の人工歯と同じ外観としながら、人工歯をしっかりと抜けないように義歯床に固定できる特徴がある。
【図面の簡単な説明】
【００１９】
【図１】従来の有床義歯を示す断面図である。
【図２】本発明者が先に開発した有床義歯の断面斜視図である。
【図３】本発明の一実施例にかかる有床義歯の斜視図である。
【図４】参考例の有床義歯を下顎側を口内側から見た一部断面斜視図である。
【図５】参考例の有床義歯の垂直端面図である。
【図６】本発明の他の実施例にかかる有床義歯の下顎側を口内側から見た一部断面斜視図である。
【図７】図６に示す有床義歯の垂直端面図である。
【図８】本発明の他の実施例にかかる有床義歯の下顎側を口内側から見た一部断面斜視図である。
【図９】図８に示す有床義歯の垂直端面図である。
【発明を実施するための形態】
【００２０】
以下、本発明の実施例を図面に基づいて説明する。ただし、図４と図５は本発明の実施例にかかるものではなく、参考例の有床義歯を示している。さらに、以下に示す実施例は、本発明の技術思想を具体化するための有床義歯とこれに使用される人工歯を例示するものであって、本発明は有床義歯とこれに使用される人工歯を以下のものに特定しない。さらに、この明細書は、特許請求の範囲を理解しやすいように、実施例に示される部材に対応する番号を、「特許請求の範囲」および「課題を解決するための手段」の欄に示される部材に付記している。ただ、特許請求の範囲に示される部材を、実施例の部材に特定するものでは決してない。
【００２１】
図３は、義歯床４と複数の人工歯２からなる有床義歯１を示す。この図の有床義歯１は、前歯と臼歯の両方からなる全ての人工歯２を義歯床４に固定している。ただし、本発明の有床義歯は、前歯と臼歯からなる全ての歯を義歯床に固定する構造、すなわち無歯顎者のための全部床義歯、いわゆる総義歯に特定しない。有床義歯は、前歯や臼歯の一部の人工歯を義歯床に固定し、あるいは前歯や臼歯のみを義歯床に固定する構造、いいかえると、歯が一部欠損している者に用いられる局部床義歯にも適用することができる。複数の人工歯２は、天然歯と同じように、隣接して配設される人工歯２の境界に凹部ができる状態で義歯床４に固定される。人工歯２は、図３に示すように、その一部である付け根部を義歯床４に埋設し、残り一部の表面を義歯床４から突出するようにして、義歯床４に固定される。
【００２２】
図４（本発明の実施例にかかるものでなく参考例の有床義歯を示している。）は、図３の有床義歯１の下顎側を口内側から見た一部断面斜視図である。さらに、図５（本発明の実施例にかかるものでなく参考例の有床義歯を示している。）は、図４に示す有床義歯１の垂直端面図である。図４と図５において、人工歯２は、両隣の歯との対向面に両端を開口するように、内部に貫通孔３を設けている。この貫通孔３は、義歯床４を成形するプラスチックを充填し、このプラスチックを義歯床４に一体的に連結して、人工歯２を義歯床４にしっかりと連結する。貫通孔３は、内径を約１ｍｍとする円柱形で、人工歯２に横に貫通して設けられる。この貫通孔３は、ドリルでせん孔して設けられる。貫通孔３の内径は、１ｍｍ以下とし、また１ｍｍ以上とすることもできるが、小さすぎるとプラスチックの充填が難しく、また、充填されたプラスチックと義歯床４との連結強度が低下して、人工歯２と義歯床４との連結強度が低下する。したがって、貫通孔３は直径を小さくとも０．５ｍｍ以上とする。また、貫通孔３が大きすぎると、人工歯２の義歯床４への埋設部の強度が低下する。したがって、貫通孔３の直径は好ましくは３ｍｍよりも小さく、さらに好ましくは２ｍｍよりも小さくする。
【００２３】
さらに、人工歯２は、貫通孔３に連結して、人工歯２の内部にエアーベント孔５を設けている。エアーベント孔５は、一端を貫通孔３に連結して、他端を人工歯２の表面に開口している。さらに、エアーベント孔５は、その開口部を、人工歯２の舌側面であって基底結節２ａと切縁２ｂとの間に位置し、かつ義歯床４から露出する部分に開口して、義歯床４のプラスチックを石膏型に充填するときに、貫通孔３とエアーベント孔５の空気をスムーズに排気できるようにしている。エアーベント孔５は、内径を約１ｍｍとする円柱形である。エアーベント孔５は、ドリルで貫通孔３をせん孔した後、ドリルでせん孔して設けられる。エアーベント孔５の内径は、貫通孔３と同じように、１ｍｍ以下とし、また１ｍｍ以上とすることもできるが、小さすぎるとプラスチックをスムーズに充填できなくなる。したがって、エアーベント孔５の内径は、小さくとも０．５ｍｍ以上とする。また、エアーベント孔５が大きすぎると、人工歯２の義歯床４への埋設部の強度が低下するので、エアーベント孔５の内径は好ましくは３ｍｍよりも小さく、さらに好ましくは２ｍｍよりも小さくする。エアーベント孔５と貫通孔３は、同じ内径とし、あるいはエアーベント孔５の内径を貫通孔３よりも大きくする。
【００２４】
図４と図５の人工歯２は、貫通孔３の中央部分にエアーベント孔５を連結している。また、エアーベント孔５を貫通孔３に対して略直交するように設けている。この人工歯２は、貫通孔３の両端から注入されるプラスチックを中央部のエアーベント孔５に流入させて、貫通孔の空気をエアーベント孔から確実に排気し、エアーベント孔と貫通孔の全体にスムーズにプラスチックを充填できる。
【００２５】
以上の人工歯２は、貫通孔３とエアーベント孔５をほぼ直交するように連結しているが、両孔の交わり角度はこれに限定しない。例えば、貫通孔３に対しエアーベント孔５が傾斜するように連結して、エアーベント孔５の長さを延伸させることも可能である。これにより貫通孔３とエアーベント孔５に、義歯床４を成形するプラスチックをスムーズに充填できる構造にでき、後述するが、孔に充填される樹脂と人工歯２との接着度が増す効果が得られる。
【００２６】
さらに、以上の人工歯２は、貫通孔３を歯の配列方向、すなわち、歯科的な表現における近遠心方向に直線状に開口しているが、貫通孔は、必ずしも直線状に開口する必要ない。貫通孔は、たとえば、両端の開口部から中央部に設けたエアーベント孔に向かって上り勾配に、すなわち、山形に開口することも、両端の開口部から中央部に設けたエアーベント孔に向かって下り勾配に、すなわち、谷形に開口することもできる。これらの人工歯も、貫通孔の両端から注入されるプラスチックを中央部のエアーベント孔に流入させて、エアーベント孔と貫通孔の全体にスムーズにプラスチックを充填できる。
【００２７】
さらに、図６と図７に示す人工歯２は、両隣の歯との対向面に両端を開口するように内部に貫通孔３を設けて、この貫通孔３に連結してエアーベント孔５を設けると共に、この貫通孔３の基底側にスリット６を設けている。このスリット６は、一端を貫通孔３に連結して、他端を基底側に開口している。図に示す人工歯２は、貫通孔３に沿って伸びるスリット６を設けており、スリット６の両端の開口部を、隣の歯との対向面に開口している。すなわち、図に示す人工歯２は、貫通孔３の全体にわたってスリット６を設けて、全体の形状を溝状としている。ただ、スリットは、必ずしも貫通孔の全体にわたって設ける必要はなく、貫通孔の両端部に設けることも、一方の端部にのみ設けることもできる。
【００２８】
図に示すスリット６は、開口部の内幅（ｄ）を貫通孔３の内径（ｒ）よりも狭くするアンダーカット形状としている。貫通孔３とスリット６をアンダーカット形状に設ける人工歯２は、ここに義歯床４のプラスチックを充填して、より抜けないように義歯床４に固定できる。それは、貫通孔３に充填されて硬化するプラスチックがスリット６を通過するのを阻止して、人工歯２が抜けるのを確実に阻止するからである。貫通孔３とスリット６をアンダーカット状とする構造は、スリット６の内幅（ｄ）と貫通孔３の内径（ｒ）との比率（ｒ／ｄ）を、たとえば１．１〜２、好ましくは１．１〜１．５としてアンダーカット状に加工される。
【００２９】
この人工歯２は、貫通孔３とエアーベント孔５をドリルで穿孔して設け、スリット６を回転する円盤状のカッターで切削して設けることができる。スリット６は、内幅を１ｍｍ以下とし、また１ｍｍ以上とすることもできるが、小さすぎるとプラスチックの充填が難しく、また充填されたプラスチックと義歯床４との連結強度が低下して、人工歯２と義歯床４との連結強度が低下する。スリット６の内幅は０．５ｍｍ以上として、人工歯２を義歯床４に抜けないように固定できる。また、スリット６の内幅が大きすぎると、人工歯２の義歯床４への埋設部の強度が低下する。したがって、スリット６の内幅（ｄ）は、３ｍｍよりも小さく、好ましくは２ｍｍよりも小さくする。貫通孔３に連結してスリット６を設けている人工歯２は、義歯床４のプラスチックをスリット６と貫通孔３に充填しながら、エアーベント孔５から空気を排気して、スリット６と貫通孔３にプラスチックをスムーズに充填できる。
【００３０】
さらに、図８と図９に示す人工歯２は、両隣の歯との対向面に両端を開口するように内部に貫通孔３を設けて、この貫通孔３に連結してエアーベント孔５を設けると共に、貫通孔３に連結して、人工歯２の内部に縦孔７を設けている。縦孔７は、一端を貫通孔３に連結して、他端を人工歯２の基底側に開口している。さらに、縦孔７は、その開口部を、貫通孔３の開口部よりも、人工歯２の基底部側の先端側に設けて、義歯床４のプラスチックをスムーズに充填できるようにしている。縦孔７は、内径を約１ｍｍとする円柱形である。縦孔７は、ドリルで貫通孔３をせん孔した後、ドリルでせん孔して設けられる。縦孔７の内径は、貫通孔３と同じように、１ｍｍ以下とし、また１ｍｍ以上とすることもできるが、小さすぎるとプラスチックをスムーズに充填できなくなり、また充填されたプラスチックと義歯床４との連結強度が低下して、人工歯２と義歯床４との連結強度が低下する。したがって、縦孔７の内径は、小さくとも０．５ｍｍ以上とする。また、縦孔７が大きすぎると、人工歯２の義歯床４への埋設部の強度が低下するので、縦孔７の内径は３ｍｍよりも小さく、好ましくは２ｍｍよりも小さくする。縦孔７と貫通孔３は、同じ内径とし、あるいは縦孔７の内径を貫通孔３よりも大きくする。貫通孔３に連結して縦孔７を設けている人工歯２は、義歯床４のプラスチックを縦孔７と貫通孔３に充填しながら、エアーベント孔５から空気を排気して、縦孔７と貫通孔３にプラスチックをスムーズに充填できる。図８は、縦孔７を円形とするが、この縦孔をスリット状とすることもできる。
【００３１】
（材料）
以上の人工歯２は、合成樹脂やセラミック、あるいは金属等を天然歯の形状に成形して製作される。合成樹脂やセラミックで製作される人工歯２は、成形された表面を天然歯の色に着色し、あるいは着色された合成樹脂やセラミックを使用して成形される。人工歯２を成形する合成樹脂には、アクリル樹脂やポリカーボネート等の合成樹脂が使用される。人工歯２は、金属を鋳造して成形することもできる。金属製の人工歯は、たとえば金合金、金銀パラジウム合金等で製作される。
【００３２】
また、義歯床４は、天然の歯肉と同じ形状に外形を成形している。有床義歯１は、必ずしも歯肉に装着されるとは限らない。たとえば、隣の残存歯に連結固定して装着される有床義歯もあるので、義歯床４は装着される構造に最適な形状に成形される。さらに、義歯床４は、たとえばアクリル樹脂やポリカーボネート等の合成樹脂で成形される。義歯床４を成形する合成樹脂は、歯肉色の着色がされており、赤に着色された繊維を混入させたものもある。この義歯床４は、天然の歯肉に極めて近似する表面模様にできる。それは、赤い繊維が、歯肉の血管と同じように見えるからである。この義歯床４は金属床と呼ばれる床の一部を金属プレートとするものも存在するが、人工歯と接する顎提部分は人工歯を埋没固定する目的もあり合成樹脂が用いられる。義歯床は、失われた歯槽骨、歯肉の回復であり、生理学的、機能的、審美的に形態が決定される。
【００３３】
以上の実施例は、人工歯２及び義歯床４に同一のアクリル系樹脂を使用する。これは、アクリル樹脂は無色透明で、硬く、かつ耐候性に優れているからである。とくに透明性は通常知られている樹脂中もっとも高い上、強靱であり、安全性が高く、着色、加工も容易である。さらに、人工歯２及び義歯床４の両者に同一の材料を用いることで、両者の接着度を高める効果を奏する。
【００３４】
（製造工程）
人工歯２を義歯床４に埋没させた有床義歯１は、次のようにして作られる
１．患者の歯の模型を元に、蝋で成型した義歯床に人工歯を配列し、蝋義歯を形成する。
２．１の蝋義歯を金属製の入れ物（フラスコ）に入れ、蝋義歯の周りに石膏を流して固める。１の蝋義歯が石膏型に埋没する。
３．２を加熱して蝋を溶融し、溶融状態の蝋を石膏型から排出、除去して、義歯床を成形する部分を空洞とする石膏型とする。この石膏型は、義歯床を成形する空洞に人工歯の付け根部を突出するように仮止めしている。人工歯の空洞に突出する部分は、義歯床に埋設される。
４．石膏型の空洞部分に、ペースト状のアクリル系樹脂などの未硬化樹脂を充填する。
５．充填された未硬化状態の樹脂を重合硬化して、人工歯の付け根部を義歯床に埋設している有床義歯が得られる。
６．石膏型から有床義歯を分離させる。
【００３５】
上記３と４の工程について詳述する。３の工程は、蝋を溶融して石膏型から排出して空洞とし、この空洞に未硬化樹脂を充填して義歯床を成型する。４の工程において、図４と図５に示す人工歯では、人工歯２に設けた貫通孔３からエアーベント孔５にペースト状の未硬化樹脂を注入して、義歯床４と人工歯２の結合度を高める。具体的には、上記３の工程で蝋の除去された石膏型の空洞部にペースト状の未硬化樹脂を充填させると、人工歯２の貫通孔３に両端部から流入される。貫通孔３に流入される未硬化樹脂は、貫通孔３からエアーベント孔５に流入される。このとき、貫通孔３とエアーベント孔５内の空気は、エアーベント孔５の開口部から排気される。エアーベント孔５の開口部は、人工歯２の露出部に位置して、義歯床４の内部にはないので、エアーベント孔５の開口部は石膏型に閉塞される。エアーベント孔５の開口部を閉塞している石膏型は、未硬化樹脂を通過させないが、空気を通過させる。したがって、貫通孔３に未硬化樹脂を注入する工程で、貫通孔３とエアーベント孔５の空気は開口部から排気され、未硬化樹脂は貫通孔３からエアーベント孔５に注入される。したがって、貫通孔３とエアーベント孔５は、空気を残存させることなく、内部まで隙間なく未硬化樹脂が注入される。
【００３６】
また、図６と図７に示す人工歯２では、上記４の工程において、人工歯２に設けたスリット６と貫通孔３からエアーベント孔５にペースト状の未硬化樹脂を注入して、義歯床４と人工歯２の結合度を高める。石膏型の空洞部に充填されるペースト状の未硬化樹脂は、人工歯２に開口された貫通孔３の両端開口部とスリット６とから貫通孔３の内部に流入される。貫通孔３に流入される未硬化樹脂は、貫通孔３からエアーベント孔５に流入される。このとき、貫通孔３とスリット６内の空気は、エアーベント孔５の開口部から排気される。
【００３７】
さらにまた、図８と図９に示す人工歯２では、上記４の工程において、人工歯２に設けた縦孔７と貫通孔３からエアーベント孔５にペースト状の未硬化樹脂を注入して、義歯床４と人工歯２の結合度を高める。石膏型の空洞部に充填されるペースト状の未硬化樹脂は、人工歯２に開口された貫通孔３の両端開口部と縦孔７とから貫通孔３の内部に流入される。貫通孔３に流入される未硬化樹脂は、貫通孔３からエアーベント孔５に流入される。このとき、縦孔７と貫通孔３内の空気は、エアーベント孔５の開口部から排気される。
【００３８】
以上のように、貫通孔３に未硬化樹脂が注入されると、貫通孔３とエアーベント孔５内の空気はエアーベント孔５の開口部から排気されて、貫通孔３とエアーベント孔５に空気は残存しない。このため、未硬化樹脂は貫通孔３とエアーベント孔５に隙間無く充填される。また、人工歯２と義歯床４の両方をアクリル系樹脂として、同じ材質として、化学的物性を同一としながらしっかりと連結できる。この有床義歯１は、義歯床４のアクリル系樹脂を重合硬化させて、人工歯２内の貫通孔３とエアーベント孔５の樹脂と義歯床４の樹脂を一体的に連結して、同素材として人工歯２との密着度を高くできる。よって人工歯２と義歯床４とが強度に接着された、安定性の高い有床義歯１が得られる。
【符号の説明】
【００３９】
１…有床義歯
２…人工歯
２ａ…基底結節
２ｂ…切縁
３…貫通孔
４…義歯床
５…エアーベント孔
６…スリット
７…縦孔
１１…有床義歯
１２…人工歯
１３…貫通孔
１４…義歯床
２１…有床義歯
２２…人工歯
２３ａ…貫通孔
２３ｂ…縦孔
２４…義歯床
Ａ…空気
【図１】
0005693903.tif 000002
【図２】
0005693903.tif 000003
【図３】
0005693903.tif 000004
【図４】
0005693903.tif 000005
【図５】
0005693903.tif 000006
【図６】
0005693903.tif 000007
【図７】
0005693903.tif 000008
【図８】
0005693903.tif 000009
【図９】
0005693903.tif 000010